(57)【要約】【課題】  遊技盤装着枠に遊技盤を容易に固定することができる遊技機を提供する。【解決手段】  遊技盤装着枠３３に嵌込まれた遊技盤４０を固定する固定具を備えた遊技機であって、固定具は、ロック部５１とハンドル部５２とを備えたロック部材５０を主体として構成されている。【選択図】        図１
2005152121.tif 000002
【特許請求の範囲】
【請求項１】
遊技盤装着枠に嵌込まれた遊技盤を固定する固定具を備えた遊技機であって、
前記固定具は、ロック部とハンドル部とを備えたロック部材を主体として構成されていることを特徴とする遊技機。
【発明の詳細な説明】
【技術分野】
【０００１】
この発明は、遊技盤を備えた遊技機、例えば、パチンコ機等の遊技機に関する。
【背景技術】
【０００２】
従来、この種の遊技機において、遊技盤装着枠の前側あるいは後側から嵌込まれた遊技盤を遊技盤装着枠に固定するために、ターンバックル形式の固定具を用いて固定したものがある。
また、このような固定具において、遊技盤の後側に配設された機構板に支持台が装着され、その支持台の両側壁の間にレバーが軸を支点として回動自在に装着される。このレバーには係合部材がピンによって回動自在に装着される。
そして、レバーを非締め付け状態にし、かつ係合部材を遊技盤装着枠のフック部に係合させた後、レバーを軸を支点として締め付け方向に回動することで、遊技盤装着枠に遊技盤を固定するように構成したものが知られている（例えば、特許文献１参照）。
【特許文献１】実用新案登録第２５４６８２８号公報
【発明の開示】
【発明が解決しようとする課題】
【０００３】
ところで、ターンバックル形式の固定具は、そのレバーが非締め付け状態にあるときには、同レバーが軸を支点として揺動する。
このため、例えば、遊技盤装着枠の前側から遊技盤が嵌込まれ、その遊技盤の前側に固定具が配設されるように設定した場合、遊技盤装着枠の前側から遊技盤が嵌込まれときに、非締め付け状態にあるレバーが軸を支点として揺動し、遊技盤装着枠に衝突する場合があり、遊技盤の固定作業が厄介となる。
【０００４】
この発明の目的は、前記問題点に鑑み、遊技盤装着枠に遊技盤を容易に固定することができる遊技機を提供することである。
【課題を解決するための手段】
【０００５】
前記目的を達成するために、請求項１の発明に係る遊技機は、
「遊技盤装着枠に嵌込まれた遊技盤を固定する固定具を備えた遊技機であって、
前記固定具は、前記遊技盤の側部近傍に進退可能に装着されたロック部材を主体として構成され、
前記ロック部材の一端部には、前記遊技盤装着枠に設けられた係止部に係脱可能なロック部が形成され、
前記ロック部材の他端部に同ロック部材を進退動作させてロック並びにロック解除操作するハンドル部が形成され、
前記遊技盤と前記ロック部材との間には、同ロック部材のロック部が前記遊技盤の外側に進出して前記係止部に係合可能なロック位置と、前記遊技盤の外側に突出することなく退避する退避位置との二位置にそれぞれ係脱可能に係止する係止手段が設けられていることを特徴とする遊技機。」を要旨とするものである。
【０００６】
したがって、遊技盤装着枠に遊技盤が固定される前の状態において、遊技盤を取り扱う場合、係止手段によってロック部材のロック部が遊技盤の外側に突出することなく退避する退避位置に保持される。
これによって、遊技盤装着枠に遊技盤を嵌込む際、ロック部材のロック部が遊技盤装着枠に衝突してロック部や遊技盤装着枠が損傷されることを防止することができる。
また、ロック部材のロック部に対し異物が衝突する不具合を防止することもでき、遊技盤の取り扱いが容易となる。
遊技盤装着枠に遊技盤を嵌込んだ後は、ハンドル部によってロック部材を遊技盤装着枠の係止部に向けて進出させてロック位置に配置することで、ロック部材のロック部が遊技盤装着枠の係止部に係合する。そして、係止手段によってロック部材をロック位置に保持することで、遊技盤装着枠に遊技盤を容易に固定することができる。
【０００７】
請求項２の発明に係る遊技機は、請求項１に記載の遊技機であって、
ロック部材は、その進退方向に長い長孔と、その長孔にスライド並びに回動可能に嵌挿される軸によって遊技盤の側部近傍に進退並びに回動可能に装着されていることを特徴とする。
したがって、ロック部材を長孔と軸によってスライド並びに回動動作させるという極めて簡単な操作によってロック並びにロック解除することができるため、遊技盤装着枠に対し遊技盤を容易に着脱することができる。
【０００８】
請求項３の発明に係る遊技機は、請求項２に記載の遊技機であって、
遊技盤の側部には、退避位置にあるロック部材が軸を中心として回動動作されたときに前記ロック部材に接しながら前記軸と長孔を介して前進方向にスライドさせる接触部が形成されていることを特徴とする。
したがって、退避位置にあるロック部材をハンドル部によって軸を中心として回動動作させることによって、同ロック部材が遊技盤側部の接触部に接しながら軸と長孔を介して前進方向にスライドする。
このようにロック部材を軸を中心として回動動作させる簡単な操作によって、ロック部材のロック部を遊技盤装着枠の係止部に確実に係合させることができる。この結果、遊技盤装着枠に対する遊技盤の固定作業を手早くかつ確実に行うことができる。
【０００９】
請求項４の発明に係る遊技機は、請求項１〜３のいずれか一項に記載の遊技機であって、
遊技盤装着枠は、その前側から遊技盤が嵌込まれるように構成される一方、
遊技盤の前側でかつ同遊技盤の遊技領域外にロック部材が配設されていることを特徴とする。
したがって、遊技盤装着枠の前側から遊技盤を嵌込んで、その遊技盤装着枠に遊技盤を容易に固定することができる。
【００１０】
請求項５の発明に係る遊技機は、請求項４に記載の遊技機であって、
遊技盤の前側でかつ同遊技盤の遊技領域外の側部近傍にロック部材に対応する格納凹部が形成され、
前記ロック部材がロック位置及び退避位置のいずれの位置に配置されたときにも同ロック部材が前記格納凹部に格納される構成にしてあることを特徴とする。
したがって、遊技盤の遊技領域外の側部近傍に形成された格納凹部にロック部材を格納して同ロック部材を保護することができる。このため、ロック部材に異物が衝突する不具合を防止することができるとともに、遊技盤の取り扱い（保管、持ち運び等）も容易となる。
【発明の効果】
【００１１】
この発明によれば、遊技盤装着枠に遊技盤を嵌込む際には、係止手段によってロック部材を退避位置に保持することで、遊技盤装着枠に遊技盤を嵌込む際にロック部材のロック部が遊技盤装着枠に衝突してそのロック部や遊技盤装着枠が損傷されることを防止することができる。
さらに、遊技盤装着枠に遊技盤を嵌込んだ後、ハンドル部によってロック部材を遊技盤装着枠の係止部に向けて進出させた後、係止手段によってロック位置に保持することで、遊技盤装着枠に遊技盤を容易に固定することができる。
【発明を実施するための最良の形態】
【００１２】
次に、この発明を実施するための最良の形態を実施例にしたがって説明する。
【実施例】
【００１３】
図１は遊技機の外枠の一側に本体枠が開かれその本体枠の一側にガラス扉が開かれた状態を示す斜視図である。図２は遊技機の前側全体を示す正面図である。図３は遊技機の後側全体を示す背面図である。図４は遊技機の本体枠と遊技盤とを分離して斜め右上前方から示す斜視図である。図５は遊技機の本体枠と遊技盤とを分離して斜め左上前方から示す斜視図である。図６は遊技盤を後側から示す背面図である。図７は遊技盤の側面図である。図８は遊技盤を前側から示す正面図である。なお、説明の便宜上、遊技機において遊技者側を前、反対側を後として説明する。
【００１４】
図１〜図３に示すように、遊技機としてのパチンコ機の外枠１０は、上下左右の枠材によって縦長四角形の枠状に形成され、その外枠１０の前面の片側には、本体枠開閉用ヒンジ機構２０によって本体枠３０が前方に開閉可能に装着されている。
この本体枠３０のヒンジ機構と反対側に自由端側の後側には、外枠１０に設けられた係止具に係脱可能に係合して本体枠３０を閉じ状態に施錠する本体枠施錠フック１４５が配設されている。
また、本体枠３０は、合成樹脂材によって一体に形成されるとともに、図４と図５に示すように、前側に遊技盤装着部３１が後側に機構装着部１６０がそれぞれ形成されている。これによって、合成樹脂製の本体枠３０は、従来の前枠（内枠、前面枠等と呼ばれることがある）と、機構板（裏機構板、裏セット板等と呼ばれることがある）との機能を兼ね備えている。
【００１５】
図４と図５に示すように、本体枠３０の前側の遊技盤装着部３１は、遊技盤４０が前側から着脱交換可能に嵌込まれる遊技盤装着枠３３を有し、その遊技盤装着枠３３の奥側の枠部内周には遊技盤４０の後面の周縁部を受け止める後面受け部３４が形成されている。
また、図４に示すように、遊技盤装着枠３３の一側内壁面の上下部２箇所には、後面受け部３４との間に遊技盤４０の一側部が差し込み可能な間隔を隔てて前面押え部３５が形成されている。
また、図４と図５に示すように、遊技盤装着枠３３の他側内壁面の上下部２箇所には、後述するロック部材５０のロック部５１に対応する凹状の係止部３６が形成されている。
また、遊技盤装着枠３３の他側部近傍には、本体枠３０側と遊技盤４０側とを電気的に接続するための本体側コネクタ４５が設置されている。
また、遊技盤装着枠３３の下側部には、遊技盤４０の前面下部を遊技盤装着枠３３の後面受け部３４に押さえ付けて緊締するターンバックル形式の緊締具６９が装着されている。
【００１６】
図４に示すように、遊技盤４０は、遊技盤装着部３１の遊技盤装着枠３３に嵌込まれる大きさの略四角板状に形成されている。遊技盤４０の盤面（前面）には、外レール４２と内レール４３とを備えた案内レール４１が設けられ、その案内レール４１の内側に遊技領域４４が区画形成されている。
遊技盤４０には、その遊技領域４４内において、遊技に関する役物装置、例えば、センタ役物と呼ばれる役物装置４６、図柄表示装置４８、入賞装置等の役物装置や風車器、誘導釘、ランプ装飾部材等の各種の装備品が配設されている。これら各種の装備品のうち、所定の装備品の後部、この実施例では、役物装置４６の役物本体４７の後部４７ａが遊技盤４０の後側に突出して配設される（図６及び図７参照）。
また、遊技盤４０の前面には、その案内レール４１の外側領域において、合成樹脂製の前構成部材４０ａが装着されている。
【００１７】
この実施例において、役物装置４６の役物本体４７には、略中央部に開口窓が形成され、図柄表示装置（例えば、液晶パネル）４８の表示面４９は役物本体４７の後側においてその開口窓に臨んで装着されている。
そして、役物本体４７は、遊技盤４０の中央部に貫設された組付孔に嵌込まれ、同役物本体４７の後部４７ａ及び図柄表示装置４８の図柄制御基板ボックス４８ａは遊技盤４０の後側に突出して配設されている。
【００１８】
図６と図７に示すように、遊技盤４０の後側下部には、各種入賞装置に流入した球を受けかつその球を所定位置まで導く集合樋７０ａと、その集合樋７０ａの後側を覆うボックス装着部としての後カバー体７０が設けられている。
後カバー体７０の後側にはボックス装着部７１が形成されている。そして、ボックス装着部７１には、一方の基板ボックスとしての副制御基板ボックス９０と、他方の基板ボックスとしての主制御基板ボックス８０とが前後に重ね合わされた状態で装着されている。
【００１９】
また、この実施例において、図６に示すように、遊技盤４０の後側に対し後カバー体７０、副制御基板ボックス９０及び主制御基板ボックス８０がそれぞれ装着された状態において、本体枠３０の遊技盤装着部３１の前側からその遊技盤装着枠３３内に遊技盤４０を嵌込んで装着できるように、遊技盤４０の外郭から、後カバー体７０、副制御基板ボックス９０及び主制御基板ボックス８０が外側にはみ出すことなく配置されている。
また、この実施例において、遊技盤４０の後面の他側寄り下部には、本体枠３０の遊技盤装着部３１の前側からその遊技盤装着枠３３内に遊技盤４０を嵌込む動作によって、本体側コネクタ４５に挿脱可能に差し込まれる遊技盤側コネクタ４５が設置されている（図５及び図６参照）。
【００２０】
図８に示すように、遊技盤４０前側の遊技領域４４の外側において、前構成部材４０ａの他側寄りの上下２箇所には、遊技盤装着枠３３に嵌込まれた遊技盤４０を固定するロック部材５０を備えた固定具がそれぞれ配設されている。
この実施例において、前構成部材４０ａの他側寄りの上下２箇所には、固定具の主体部をなすロック部材５０に対応する横長状の格納凹部６０がそれぞれ形成されている。そして、図１１と図１２に示すように、各格納凹部６０には、ロック部材５０が横方向の長孔５６と、軸５５によって進退可能（回動並びにスライド可能）に装着されている。
【００２１】
図１０〜図１２に示すように、ロック部材５０は、合成樹脂材によって横方向に長尺に形成され、その長手方向の一端部には、遊技盤装着枠３３の係止部３６に係脱可能に係合して遊技盤４０を固定するロック部５１が一体に形成されている。
また、ロック部材５０の長手方向の他端部には、同ロック部材５０を進退動作させてロック並びにロック解除操作するハンドル部５２が一体に形成されている。このハンドル部５２はその中央部に指先が挿入可能な挿入孔５３を備えて略四角環状に形成されている。
また、この実施例において、ロック部材５０の一端寄り部分の上下部には、上下方向の同一軸線上において軸５５がそれぞれ突設される一方、格納凹部６０の両側壁部６１には、軸５５が回動並びにスライド可能に嵌挿される長孔５６が形成されている。
【００２２】
図１０〜図１２に示すように、遊技盤４０の前構成部材４０ａの格納凹部６０とロック部材５０との間には、同ロック部材５０のロック部５１が遊技盤４０の外側に進出して係止部３６に係合可能なロック位置と、遊技盤４０の外側に突出することなく退避する退避位置との二位置において係脱可能に係止する係止手段が設けられている。
係止手段は、格納凹部６０の底部に設けられた第１、第２の係止凹部６２、６３と、これら第１、第２の係止凹部６２、６３に係合可能にロック部材５０のハンドル部５２に形成された係止片６４と、を備えて構成されている。
【００２３】
また、図１１と図１２に示すように、第１、第２の係止凹部６２、６３の開口部には係止部６２ａ、６３ａがそれぞれ凸設されている。
一方、係止片６４は、ロック部材５０のハンドル部５２の端部から断面略Ｖ字状をなして一体に延出されるとともに、弾性的に変形可能に形成されている。また、係止片６４の一辺（自由端側の辺）には、第１係止凹部６２の係止部６２ａ（又は第２係止凹部６３の係止部６３ａ）に沿って滑走可能な傾斜面６４ａと、第１係止凹部６２の係止部６２ａ（又は第２係止凹部６３の係止部６３ａ）に係合可能な係止爪６４ｂと、係止片６４を弾性変形させて第１係止凹部６２の係止部６２ａ（又は第２係止凹部６３の係止部６３ａ）に対する係止爪６４ｂの係合を解除する操作片６４ｃとを一体連続状に備えている。
そして、図１１と図１２に示すように、第２係止凹部６３に係止片６４が差し込まれて係合することで、ロック部材５０がロック位置に保持される。
また、図１３に示すように、第１係止凹部６２に係止片６４が差し込まれて係合することで、ロック部材５０が退避位置に保持されるようになっている。
【００２４】
また、この実施例において、遊技盤４０の前構成部材４０ａの格納凹部６０とロック部材５０との間には、ロック位置と、退避位置との二位置においてロック部材５０の進退動作を規制する規制手段が設けられている。
この規制手段は、図１１に示すように、格納凹部６０の上下部に位置して前構成部材４０ａの前面に凹設された第１、第２の規制凹部６５、６６と、これら第１、第２の規制凹部６５、６６に係合可能にロック部材５０の上下部に突設されたピン状の規制凸部６７と、を備えて構成されている。そして、図１１に示すように、第２規制凹部６６に規制凸部６７が嵌込まれて係合することで、ロック部材５０がロック位置に拘束され、第１規制凹部６５に規制凸部６７が嵌込まれて係合することで、ロック部材５０が退避位置に拘束されるようになっている。
【００２５】
図１１〜図１６に示すように、遊技盤４０の一側（ロック部材５０が配設される側の上下部２箇所）の縁部には、ロック部材５０のロック部５１との衝突を避けて同ロック部材５０の回動を許容する凹部６８が形成されている。すなわち、凹部６８は、そのロック部材５０のロック部５１の厚さ寸法よりも適宜に深い寸法をもって略コの字に切り欠かれて形成されている（図６及び図１１参照）。
そして、ロック部材５０を回動動作したときには、図１６に示すように、ロック部材５０が遊技盤４０に略直交する状態（ロック位置から略９０度回動した状態）まで回動可能となっている。
また、凹部６８の前縁部には、退避位置にあるロック部材５０が軸５５を中心として回動動作されたときにロック部５１の背面側に接しながら軸５５と長孔５６を介して前進方向にスライドさせる接触部６８ａが形成されている（図１４参照）。
【００２６】
また、この実施例において、図５に示すように、本体枠３０の前側の遊技盤装着部３１よりも下方に位置する下部領域の一側よりにはスピーカボックス部が一体に形成され、そのスピーカボックス部の前側開口部には、同開口部を塞ぐようにしてスピーカ装着板１０７が装着されている。そして、スピーカ装着板１０７にはスピーカ１０９が装着されている。
また、本体枠３０の前側の下部領域の他側寄り上部には、遊技盤４０の発射通路に向けて球を導く発射レール１００が傾斜状に装着されている。
また、図１と図４に示すように、本体枠３０の前側の下部領域の前側には、その下部領域全体を覆うようにして下部前面板１１０が装着されている。下部前面板１１０の前側の略中央部には、下皿１１１が設けられ、片側寄りには操作ハンドル１１５が設けられている。
【００２７】
図１と図２に示すように、本体枠３０の前面の片側には、同本体枠３０の上端から下部前面板１１０にわたる部分を覆うようにしてガラス扉１３０が扉開閉用ヒンジ機構１２０によって前方に開閉可能に装着されている。ガラス扉１３０のヒンジ機構と反対側に自由端側の後面には、本体枠３０に設けられた扉施錠フック１４１に係脱可能に係合してガラス扉１３０を閉じ状態に施錠する係止部（図示しない）が設けられている。
また、ガラス扉１３０には、遊技盤４０の遊技領域４４を前方から透視可能な開口窓を構成する窓枠１３２が設けられ、その窓枠１３２にはガラス板、透明樹脂板等の透明板１３３が装着されている。
また、ガラス扉１３０の前側には、遊技盤４０の遊技領域４４を透視可能な略円形状の開口を有するとともに、その遊技領域４４以外の略全体を覆って装飾性を高める前面装飾部材が設けられている。また、ガラス扉１３０の前側下部には上皿１３６が装着されている。
【００２８】
一方、図３に示すように、本体枠３０の後側の機構装着部１６０には、球タンク１６５、タンクレール１７５、ユニット状の球払出装置２１０、発射レール１００の下傾端部の発射位置に送られた球を発射する発射ハンマー２３３及び発射モータ２３２等を有する発射装置ユニット２３０、電源基板を有する電源基板ボックス、発射制御基板を有する発射制御用基板ボックス２３４等が装着されている。
【００２９】
この実施例に係る遊技機は上述したように構成される。
したがって、遊技盤装着枠３３に遊技盤４０が固定される前の状態において、遊技盤４０を取り扱う場合、ロック部材５０のロック部５１が遊技盤４０の外側に突出することなく退避する退避位置に配置される。この際、係止手段としての第１係止凹部６２と係止片６４との係合力によってロック部材５０が退避位置に保持される。
これによって、ロック部材５０のロック部５１に対し異物が衝突する不具合を防止することができ、遊技盤４０の取り扱いが容易となる。
また、この実施例において、遊技盤４０の前構成部材４０ａの遊技領域外の側部近傍に形成された格納凹部６０にロック部材５０が格納される。このように、ロック部材５０を格納凹部６０によって格納して保護することができるため、ロック部材５０に対する異物の衝突を防止することができるとともに、遊技盤４０の取り扱い（保管、持ち運び等）がより一層容易となる。
【００３０】
次に、遊技盤装着枠３３に遊技盤４０を嵌込んで固定（装着）する場合、まず、遊技盤装着枠３３の前側において、その遊技盤４０（前構成部材４０ａを含む）の左右の一側部が遊技盤装着枠３３の後面受け部３４と前面押え部３５との間に差し込まれて同遊技盤４０が遊技盤装着枠３３に嵌込まれる。
この際、遊技盤４０に対しロック部材５０が退避位置に保持されるため、ロック部材５０のロック部５１が遊技盤装着枠３３に衝突する不具合が防止され、ロック部５１や遊技盤装着枠３３が損傷されることを回避することができる。
【００３１】
前記したように、遊技盤装着枠３３に遊技盤４０を嵌込んだ後、ロック部材５０が退避位置からロック位置に軸５５と長孔５６によってスライド並びに回動動作させることで、遊技盤装着枠３３に遊技盤４０が固定される（図９参照）。
すなわち、まず、ロック部材５０の操作片６４ｃによって係止片６４を弾性変形させて第１係止凹部６２の係止部６２ａから係止爪６４ｂの係合を解除した後、図１４に示すように、ハンドル部５２によってロック部材５０を軸５５を支点として回動する。すると、ロック部材５０の先端部が、遊技盤４０の一側の凹部６８の接触部６８ａに接しながら軸５５と長孔５６を介して前進方向にスライドされる。
【００３２】
その後、ロック部材５０が軸５５を支点として前記とは逆方向に回動操作される。これによって、図１１と図１２に示すように、係止片６４が第２係止凹部６３に差し込まれて係合され、ロック部材５０がロック位置に保持される。
また、ロック部材５０がロック位置に配置されることで、同ロック部材５０のロック部５１が遊技盤装着枠３３の係止部３６に係合し、これによって、遊技盤装着枠３３に遊技盤４０が固定される。
前記したようにして、ロック部材５０を軸５５を中心として回動動作するという極めて簡単な操作によって、ロック部材５０のロック部５１を遊技盤装着枠３３の係止部３６に確実に係合させることができる。この結果、遊技盤装着枠３３に対する遊技盤４０の固定作業を手早くかつ確実に行うことができる。
【００３３】
また、遊技盤装着枠３３から遊技盤４０を取り外す場合、まず、ロック部材５０の操作片６４ｃによって係止片６４を弾性変形させて第２係止凹部６３の係止部６３ａから係止爪６４ｂの係合を解除した後、ハンドル部５２によってロック部材５０を軸５５を支点として回動し、ロック部材５０のロック部５１を遊技盤装着枠３３の係止部３６から外す（図１５参照）。
その後、図１６に示すように、ロック部材５０をロック位置から略９０度回動した状態で遊技盤装着枠３３から遊技盤４０を容易に取り外すことができる。
【００３４】
なお、この発明は前記実施例に限定するものではない。
例えば、前記実施例においては、外枠１０の前側に開閉可能に装着された本体枠３０が従来の前枠（内枠、前面枠等と呼ばれることがある）と、機構板（裏機構板、裏セット板等と呼ばれることがある）との機能を兼ね備えている場合を例示したがこれに限定するものではない。すなわち、外枠１０の前側に遊技盤４０が装着される遊技盤装着枠３３を有する前枠を開閉可能に装着し、その前枠の後側に、後面に球タンク、タンクレール、球払出装置等の機構部が装着される機構板を配設した形式の遊技機であってもこの発明を採用することができる。
【００３５】
また、前記実施例においては、遊技盤装着枠３３の前側から遊技盤４０が嵌込まれて固定されるように構成したが、遊技盤装着枠３３の後側から遊技盤４０が嵌込まれる形式の遊技機であってもこの発明を採用することができる。
【図面の簡単な説明】
【００３６】
【図１】この発明の実施例に係る遊技機の外枠の一側に本体枠が開かれその本体枠の一側にガラス扉が開かれた状態を示す斜視図である。
【図２】同じく遊技機の前側全体を示す正面図である。
【図３】同じく遊技機の後側全体を示す背面図である。
【図４】同じく遊技機の本体枠と遊技盤とを分離して斜め右上前方から示す斜視図である。
【図５】同じく遊技機の本体枠と遊技盤とを分離して斜め左上前方から示す斜視図である。
【図６】同じく遊技盤を後側から示す背面図である。
【図７】同じく遊技盤の側面図である。
【図８】同じく遊技盤を前側から示す正面図である。
【図９】同じく図８のＩＸ−ＩＸ線に基づく平断面図である。
【図１０】同じくロック部材を示す斜視図である。
【図１１】同じく遊技盤の前構成部材の格納凹部に対しロック部材がロック位置に格納された状態を示す正面図である。
【図１２】同じく図１１のＸＩＩ−ＸＩＩ線に基づく断面図である。
【図１３】同じく遊技盤の前構成部材の格納凹部に対しロック部材が退避位置に格納された状態を示す断面図である。
【図１４】同じくロック部材が軸と長孔によって回動並びに前進方向にスライドされる状態を示す説明図である。
【図１５】同じくロック部材が軸を支点として回動されてロック解除される状態を示す説明図である。
【図１６】同じくロック部材が軸を支点として略９０度回動されて遊技盤装着枠から遊技盤が取り外される状態を示す説明図である。
【符号の説明】
【００３７】
１０  外枠
３０  本体枠
３１  遊技盤装着部
３６  係止部
４０  遊技盤
４４  遊技領域
５０  ロック部材
５１  ロック部
５２  ハンドル部
５５  軸
５６  長孔
６０  格納凹部
【図１】
2005152121.tif 000003
【図２】
2005152121.tif 000004
【図３】
2005152121.tif 000005
【図４】
2005152121.tif 000006
【図５】
2005152121.tif 000007
【図６】
2005152121.tif 000008
【図７】
2005152121.tif 000009
【図８】
2005152121.tif 000010
【図９】
2005152121.tif 000011
【図１０】
2005152121.tif 000012
【図１１】
2005152121.tif 000013
【図１２】
2005152121.tif 000014
【図１３】
2005152121.tif 000015
【図１４】
2005152121.tif 000016
【図１５】
2005152121.tif 000017
【図１６】
2005152121.tif 000018